(57)【要約】  論理的オーバーライトの記録方式を他の方式と区別させて認識する情報記録媒体、記録／再生方法及び記録／再生装置を提供する。  リードイン領域、データ領域、リードアウト領域が設けられ、データ領域は、ユーザーデータを記録するためのユーザーデータ領域、及びユーザーデータ領域に記録されたデータをアップデートするための代替データを記録するためのスペア領域を備える情報記録媒体に／からデータをライト／リードするライト／リード部、及びユーザーデータ領域に記録されたデータをアップデートするための代替データが、スペア領域に記録される論理的オーバーライトの状態を表すための代替強制フラッグ情報をリードイン領域またはリードアウト領域から読み取って、代替強制フラッグ情報を参照してユーザーデータ領域に記録されたデータをアップデートするように、ライト／リード部を制御する制御部を備える記録装置である。光記録の情報記録媒体は、光記録の情報記録媒体のデータの更新がディスク欠陥管理方式を利用して行われるか否かを表す情報を含む。
2007511033.tif 000002
【特許請求の範囲】
【請求項１】
記録及び／または再生装置に利用するための情報記録媒体において、
前記情報記録媒体には、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備え、
前記代替データが論理的オーバーライトを利用して前記記録及び／または再生装置により前記スペア領域に記録されるか否かを表す代替強制フラッグ情報が、前記リードイン領域またはリードアウト領域に記録されることを特徴とする情報記録媒体。
【請求項２】
前記代替強制フラッグ情報は、前記リードイン領域またはリードアウト領域に設けられた臨時ディスク管理領域に記録されることを特徴とする請求項１に記載の情報記録媒体。
【請求項３】
前記代替データは、前記ユーザーデータまたはファイルシステムデータのうち少なくとも一つをアップデートするためのデータであることを特徴とする請求項１に記載の情報記録媒体。
【請求項４】
記録装置において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、
前記ユーザーデータ領域に記録されたデータをアップデートするための代替データが、前記スペア領域に記録される論理的オーバーライトの状態を表すための代替強制フラッグ情報を、前記リードイン領域またはリードアウト領域から読み取って、前記代替強制フラッグ情報を参照して、前記ユーザーデータ領域に記録されたデータをアップデートするように、前記ライト／リード部を制御する制御部とを備えることを特徴とする記録装置。
【請求項５】
前記制御部は、
前記代替強制フラッグ情報が、代替強制フラッグが設定されたと表す場合には、前記ユーザーデータ領域に記録されたデータをアップデートするための代替データを前記スペア領域に記録するように、前記ライト／リード部を制御して前記論理的オーバーライトを行うことを特徴とする請求項４に記載の記録装置。
【請求項６】
前記制御部は、
前記代替強制フラッグ情報が、代替強制フラッグが設定されていないと表す場合には、前記論理的オーバーライトを行えないことを特徴とする請求項４に記載の記録装置。
【請求項７】
再生装置において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、
前記代替データが論理的オーバーライトを利用して前記スペア領域に記録されるか否かを表す代替強制フラッグ情報を、前記リードイン領域またはリードアウト領域から読み取って、前記代替強制フラッグ情報を参照して、前記ユーザーデータ領域に記録されたデータを再生するように、前記ライト／リード部を制御する制御部とを備えることを特徴とする再生装置。
【請求項８】
前記制御部は、
前記代替強制フラッグ情報が、代替強制フラッグが設定されたと表す場合には、前記ユーザーデータ領域に記録されたデータをアップデートする代替データを前記スペア領域から読み取って再生することを特徴とする請求項７に記載の再生装置。
【請求項９】
記録／再生装置において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、
前記ユーザーデータ領域に記録されたデータをアップデートするための代替データを前記スペア領域に記録する論理的オーバーライトを具現すると決定した場合に、前記論理的オーバーライトの状態を表すための代替強制フラッグ情報を前記リードイン領域またはリードアウト領域に記録するように、前記ライト／リード部を制御する制御部とを備えることを特徴とする記録／再生装置。
【請求項１０】
前記制御部は、
前記代替強制フラッグ情報を前記リードイン領域またはリードアウト領域に設けられた臨時ディスク管理領域に記録するように、前記ライト／リード部をさらに制御することを特徴とする請求項９に記載の記録／再生装置。
【請求項１１】
記録方法において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体の前記リードイン領域またはリードアウト領域から、前記ユーザーデータ領域に記録されたデータをアップデートするための代替データが論理的オーバーライトを利用して前記スペア領域に記録されるか否かを表す代替強制フラッグ情報を読み取るステップと、
前記読み取られた代替強制フラッグ情報を参照して、前記ユーザーデータ領域に記録されたデータをアップデートするステップとを含むことを特徴とする記録方法。
【請求項１２】
前記アップデートステップは、
前記代替強制フラッグ情報が、代替強制フラッグが設定されたと表す場合には、前記ユーザーデータ領域に記録されたデータをアップデートするための代替データを前記スペア領域に記録するステップを含むことを特徴とする請求項１１に記載の記録方法。
【請求項１３】
前記代替強制フラッグ情報が、代替強制フラッグが設定されていないと表す場合には、前記論理的オーバーライトを行えないことを特徴とする請求項１１に記載の記録方法。
【請求項１４】
再生方法において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体の前記リードイン領域またはリードアウト領域から、前記代替データが前記スペア領域に論理的オーバーライトを利用して記録されるか否かを表す代替強制フラッグ情報を読み取るステップと、
前記読み取られた代替強制フラッグ情報を参照して、前記ユーザーデータ領域に記録されたデータを再生するステップとを含むことを特徴とする再生方法。
【請求項１５】
前記再生ステップは、
前記代替強制フラッグ情報が、代替強制フラッグが設定されたと表す場合には、前記ユーザーデータ領域に記録されたデータをアップデートする代替データを前記スペア領域から読み取って再生するステップを含むことを特徴とする請求項１４に記載の再生方法。
【請求項１６】
記録／再生方法において、
リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするステップと、
前記ユーザーデータ領域に記録されたデータをアップデートするための代替データを前記スペア領域に記録する論理的オーバーライトを具現する場合に、前記論理的オーバーライトの状態を表すための代替強制フラッグ情報を前記リードイン領域またはリードアウト領域に記録するステップとを含むことを特徴とする記録／再生方法。
【請求項１７】
前記記録ステップは、
前記代替強制フラッグ情報を前記リードイン領域またはリードアウト領域に設けられた臨時ディスク管理領域に記録するステップをさらに含むことを特徴とする請求項１６に記載の記録／再生方法。
【請求項１８】
記録及び／または再生装置に利用するための追記型の情報記録媒体において、
前記装置により記録されるデータを保存するための第１記録領域と、
前記装置によりアップデートされるデータを保存するための第２記録領域であって、前記アップデートされるデータは、ディスク欠陥管理方法によって第２記録領域に記録される第２記録領域とを備えることを特徴とする情報記録媒体。
【請求項１９】
追記型の情報記録媒体にデータを管理するための方法において、
前記記録媒体のスペア領域にディスク欠陥管理方法によってデータをアップデートするステップを含むことを特徴とするデータ管理方法。
【請求項２０】
記録及び／または再生装置において、
追記型の情報記録媒体から／にデータを読み取り／記録する光ピックアップと、
前記媒体の第１記録領域にデータを記録し、ディスク欠陥管理方法によって、前記第１記録領域に記録されたデータをアップデートするように、前記光ピックアップを制御する制御部とを備えることを特徴とする記録及び／または再生装置。
【発明の詳細な説明】
【技術分野】
【０００１】
本発明は、ディスク分野に係り、特に、情報記録媒体、記録／再生方法及び記録／再生装置に関する。
【背景技術】
【０００２】
追記型の情報記録媒体は、１回のみ記録するという記録媒体自体の特性により、記録されたデータの更新が不可能であるという問題点がある。これにより、Ｄｉｓｃ  ａｔ  ｏｎｃｅまたはトラック単位の順次的な記録のような特別な方法の記録のみが使われてきた。
【０００３】
一方、ディスク上に記録されたデータの信頼性を向上させるために、ディスク上に発生した欠陥を管理するディスク欠陥管理方法として、ディスクを使用するための初期化過程で発見された欠陥を処理する飛ばし置換方法と、ディスクの使用中に発生した欠陥に対して欠陥があるセクタを含んだＥＣＣ（Ｅｒｒｏｒ  Ｃｏｒｒｅｃｔｉｏｎ  Ｃｏｄｅ）ブロック単位をスペア領域にある欠陥のないＥＣＣブロックに代替する線形置換方法とがある。
【０００４】
飛ばし置換方法とは、ディスクを初期化するとき、ディスクの欠陥を検査する検証過程で発見された欠陥があるセクタは、論理セクタ番号を付与せずに飛ばして欠陥セクタの次のセクタに、欠陥セクタに付与される論理セクタ番号を付与することによって、記録や再生時に欠陥が発生したセクタを無視して飛ばしてデータを記録または再生することによって、欠陥による記録または再生速度の低下を最小化する方法である。
【０００５】
しかし、ディスクを使用する途中で発生した欠陥である場合には、飛ばし置換方法を使用できなくなる。これは、欠陥がある部分を無視して飛ばす場合、論理セクタ番号に不連続が発生するため、ファイルシステム規約に違反するので、ディスクを使用する途中で欠陥が発生した場合には、線形置換方法を使用するが、これは、欠陥が発生したセクタが含まれたＥＣＣブロックをスペア領域にあるＥＣＣブロックに置換することをいう。
【０００６】
一方、ファイルシステムは、ディスク上のユーザーデータ領域の特定の領域をあらかじめファイルシステムが使用する領域として決める場合が多い。したがって、複数回に分けて追記型の情報記録媒体を使用する場合には、最終のファイルシステムが記録されねばならない領域を空いている空間に空けて順次に記録するため、このような順次に記録されたデータを読み取るように設計されていない一般的なファイルシステムのみを支援するドライブでは読み取れないという再生互換性の問題を有し、また、追記型の情報記録媒体の特性上オーバーライトできないため、再記録の情報記録媒体のようにファイルシステムデータを固定された位置に割り当てて使用するか、またはデータの修正が要求されるとき、同じ物理的位置にオーバーライトできないため、反復して複数回順次に記録する。
【０００７】
例えば、従来の追記型の情報記録媒体１００では、図１に示したようにデータが記録されうる。すなわち、初期には、追記型の情報記録媒体１００の最初の位置に第１ファイルシステム１１０が記録され、次に第１データ１２０が記録された場合に、その記録された事項を反映した修正された第２ファイルシステム１３０が第１データ１２０の次の位置に記録される。同様に、第２データ１４０が第２ファイルシステム１３０の次の位置に記録された場合に、再びその事項を反映した修正された第３ファイルシステム１５０が第２データ１４０の次の位置に記録される。したがって、このような従来の追記型の情報記録媒体１００では、ファイルシステムの情報がディスクの色々な位置に分散されていて再生速度が遅くなるという問題点がある。
【０００８】
したがって、追記型の情報記録媒体でも、データ領域に記録されたデータをアップデート可能にする方法が要求される。このようなアップデートが重要な理由は、物理的には、追記型の情報記録媒体の特性上アップデートされるデータが他の位置、すなわち他の物理アドレスに記録されるが、ホストが関与する論理アドレスは固定させて、ホスト立場では固定された位置でデータのみが更新されるように示すことによって、管理を容易にするためである。
【発明の開示】
【発明が解決しようとする課題】
【０００９】
本発明の目的は、前記のような問題点を解決するためのものであって、情報記録媒体において、論理的オーバーライトの記録方式を他の記録方式と区別できる情報記録媒体、記録／再生方法及び記録／再生装置を提供するところにある。
【課題を解決するための手段】
【００１０】
前記の目的を達成するための本発明の一つの特徴は、情報記録媒体において、前記情報記録媒体には、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備え、前記ユーザーデータ領域に記録されたデータをアップデートするための代替データが前記スペア領域に記録される論理的オーバーライトの状態を表すための代替強制フラッグ情報が、前記リードイン領域またはリードアウト領域に記録されることである。
【００１１】
前記代替強制フラッグ情報は、前記リードイン領域またはリードアウト領域に設けられた臨時ディスク管理領域に記録されることが望ましい。
【００１２】
前記代替データは、前記ユーザーデータまたはファイルシステムデータのうち、少なくとも一つをアップデートするためのデータであることが望ましい。
【００１３】
本発明の他の特徴は、記録装置において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、前記ユーザーデータ領域に記録されたデータをアップデートするための代替データが、前記スペア領域に記録される論理的オーバーライトの状態を表すための代替強制フラッグ情報を、前記リードイン領域またはリードアウト領域から読み取って、前記代替強制フラッグ情報を参照して、前記ユーザーデータ領域に記録されたデータをアップデートするように、前記ライト／リード部を制御する制御部と、を備えることである。
【００１４】
前記制御部は、前記代替強制フラッグ情報が、代替強制フラッグが設定されたと表す場合には、前記ユーザーデータ領域に記録されたデータをアップデートするための代替データを前記スペア領域に記録するように、前記ライト／リード部を制御して前記論理的オーバーライトを行うことが望ましい。
【００１５】
前記制御部は、前記代替強制フラッグ情報が、代替強制フラッグが設定されていないと表す場合には、前記論理的オーバーライトを行えないことが望ましい。
【００１６】
本発明のさらに他の特徴は、再生装置において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、前記ユーザーデータ領域に記録されたデータをアップデートするための代替データが、前記スペア領域に記録される論理的オーバーライトの状態を表すための代替強制フラッグ情報を、前記リードイン領域またはリードアウト領域から読み取って、前記代替強制フラッグ情報を参照して、前記ユーザーデータ領域に記録されたデータを再生するように、前記ライト／リード部を制御する制御部とを備えることである。
【００１７】
前記制御部は、前記代替強制フラッグ情報が、代替強制フラッグが設定されたと表す場合には、前記ユーザーデータ領域に記録されたデータをアップデートする代替データを前記スペア領域から読み取って再生することが望ましい。
【００１８】
本発明のさらに他の特徴は、記録／再生装置において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするライト／リード部と、前記ユーザーデータ領域に記録されたデータをアップデートするための代替データを前記スペア領域に記録する論理的オーバーライトを具現すると決定した場合に、前記論理的オーバーライトの状態を表すための代替強制フラッグ情報を前記リードイン領域またはリードアウト領域に記録するように、前記ライト／リード部を制御する制御部と、を備えることである。
【００１９】
前記制御部は、前記代替強制フラッグ情報を前記リードイン領域またはリードアウト領域に設けられた臨時ディスク管理領域に記録するように、前記ライト／リード部をさらに制御することが望ましい。
【００２０】
本発明のさらに他の特徴は、記録方法において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体の前記リードイン領域またはリードアウト領域から、前記ユーザーデータ領域に記録されたデータをアップデートするための代替データが前記スペア領域に記録される論理的オーバーライトの状態を表すための代替強制フラッグ情報を読み取るステップと、前記読み取られた代替強制フラッグ情報を参照して、前記ユーザーデータ領域に記録されたデータをアップデートするステップとを含むことである。
【００２１】
本発明のさらに他の特徴は、再生方法において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体の前記リードイン領域またはリードアウト領域から、前記ユーザーデータ領域に記録されたデータをアップデートするための代替データが前記スペア領域に記録される論理的オーバーライトの状態を表すための代替強制フラッグ情報を読み取るステップと、前記読み取られた代替強制フラッグ情報を参照して、前記ユーザーデータ領域に記録されたデータを再生するステップとを含むことである。
【００２２】
本発明のさらに他の特徴は、記録／再生方法において、リードイン領域、データ領域、リードアウト領域が設けられ、前記データ領域は、ユーザーデータを記録するためのユーザーデータ領域、及び前記ユーザーデータ領域に記録されたデータをアップデートするための代替データを記録するためのスペア領域を備える情報記録媒体に／からデータをライト／リードするステップと、前記ユーザーデータ領域に記録されたデータをアップデートするための代替データを前記スペア領域に記録する論理的オーバーライトを具現すると決定した場合に、前記論理的オーバーライトの状態を表すための代替強制フラッグ情報を前記リードイン領域またはリードアウト領域に記録するステップとを含むことである。
【００２３】
前記記録ステップは、前記代替強制フラッグ情報を前記リードイン領域またはリードアウト領域に設けられた臨時ディスク管理領域に記録するステップをさらに含むことが望ましい。
【発明の効果】
【００２４】
本発明の構成によれば、追記型の情報記録媒体において、論理的オーバーライトの記録方式を他の記録方式と区別できる手段を設けることによって、ユーザーにより論理的オーバーライトの記録方式と異なる記録方式の追記型の情報記録媒体をいずれも使用可能にする。
【発明を実施するための最良の形態】
【００２５】
以下、添付された図面を参照して、本発明の一実施形態を詳細に説明する。
【００２６】
本発明によれば、追記型の情報記録媒体でも、ユーザーデータ領域に記録されたデータを、ディスク欠陥管理方式を利用してアップデートする論理的オーバーライト方式を具現することによって、アップデートされたデータの論理的アドレスを固定させて、再記録の情報記録媒体と同様に、固定された位置でそのデータに関する情報が得られる。
【００２７】
かかる論理的オーバーライトを説明する。以下の例では、ファイルシステムを例として説明したが、これに限定されるものではなく、一般的なユーザーデータにも同一に適用される。
【００２８】
図２Ａは、ユーザーデータの管理のためのファイルシステム２１０をユーザーデータ領域の最初の固定された位置に割り当てて、初期ファイルシステムを記録した図である。
【００２９】
図２Ｂに示したように、第１データ２２０がユーザーデータ領域に記録された場合に、更新されたファイルシステム２３０をディスク欠陥管理方式の一種である線形置換方法によりスペア領域２に記録する。
【００３０】
また、図２Ｃに示したように、第２データ２４０がユーザーデータ領域に記録された場合に、更新されたファイルシステム２５０を線形置換方法によりスペア領域２に記録する。
【００３１】
これによる論理的アドレスの固定を、図３Ａ及び図３Ｂを参照して説明する。
【００３２】
例えば、論理セクタ番号００ｈないしＦＦｈに該当するユーザーデータ領域の物理セクタ番号を１００ｈないし１ＦＦｈ（ファイルシステム２１０が記録される領域）とし、前記のような論理的オーバーライトにより、論理セクタ番号００ｈないしＦＦｈに該当するデータがスペア領域の物理セクタ番号１１ＦＦｈないし１１Ｆ００ｈ（ファイルシステム２３０が記録される領域）に代替されたとすれば、そのとき、欠陥リストの欠陥セクタ情報及び代替セクタ情報は、図３Ａに示した通りである。
【００３３】
最初の論理的オーバーライトにより欠陥リストが生成された後、同じ論理セクタ番号００ｈないしＦＦｈが第２の論理的オーバーライトによりスペア領域の物理セクタ番号１１ＥＦＦｈないし１１Ｅ００ｈに代替されたとすれば、そのとき、欠陥リストの欠陥セクタ情報及び代替セクタ情報は、図３Ｂに示した通りである。したがって、論理セクタ番号及びその論理セクタ番号に対応する物理セクタ番号が含まれた最終の欠陥リストのみを探せば、ファイルシステムを固定された論理セクタ番号から検出できる。
【００３４】
このように、本発明は、ファイルシステムなどのデータを更新するとき、従来のディスク欠陥管理方法を利用してファイルシステムを更新することにより、ファイルシステムデータの論理セクタ番号を固定させることによって、ファイルシステムのアドレスを固定された位置で得られる。以上、ファイルシステムデータを中心に説明したが、ユーザーデータに対しても同一に適用されうる。
【００３５】
前述したようなアップデート（“論理的オーバーライト”という）によって、これからは、既存のＤＶＤ−Ｒ／ＤＶＤ＋Ｒのような追記型の情報記録媒体でも、ファイルシステムに関する情報を探す煩わしさを解消できるので、システムの向上を図るようになった。
【００３６】
これにより、同じ追記型の情報記録媒体であるといっても、本発明による論理的オーバーライト方式と論理的オーバーライトが可能でない既存の記録方式とが共存する。
【００３７】
したがって、記録／再生装置は、追記型の情報記録媒体がドライブにローディングされた場合に、その媒体がいかなるデータ記録方式で記録されたか、すなわち論理的オーバーライト方式で記録されたかを認識できねばならず、また空媒体に新たに記録する場合には、その空媒体がいかなる記録方式で記録されるか、すなわち論理的オーバーライト方式で記録されるか、その記録方式を表示しておく必要がある。
【００３８】
したがって、前記論理的オーバーライト記録方式を既存の他の方式と区別して認識するための手段が要求される。
【００３９】
図４は、本発明による記録／再生装置の概略的なブロック図である。図４に示すように、本実施形態による記録／再生装置は、記録または再生が可能な装置であって、ライト／リード部４２０及び制御部４３０を備える。ライト／リード部４２０は、制御部４３０の制御によって、本実施形態による情報記録媒体であるディスク４１０にデータを記録し、記録されたデータを再生するためにデータを読み取る。
【００４０】
制御部４３０は、本発明によって、データを所定の記録単位ブロックで記録するようにライト／リード部４２０を制御したり、またはライト／リード部４２０により読み取られたデータを処理して有効なデータを得る。本実施形態では、ファイルシステムデータを対象として説明するが、ユーザーデータにも適用されうるということは、当業者ならば十分に理解できるであろう。
【００４１】
記録時、制御部４３０は、ディスクに使われるファイルシステム記録方法によってファイルシステムを記録するように、ライト／リード部４２０を制御する。すなわち、制御部４３０は、空媒体に最初に記録する場合には、どの方式でファイルシステムを記録するかを決定し、その決定されたファイルシステム記録方式を表す情報をディスクの所定部分に記録するように制御する。また、既に一部が記録された追記型の情報記録媒体に記録する場合には、媒体の所定部分に保存されたファイルシステム記録方式情報を読み取って、媒体に使われたファイルシステム記録方式を判別し、その判別された記録方式によって、ファイルシステムを記録するように制御する。詳細な説明は後述する。
【００４２】
再生時、制御部４３０は、ディスクに使われたファイルシステム記録方式によってデータを読み取るように、ライト／リード部４２０を制御する。すなわち、ディスクの所定部分に保存されたファイルシステム記録方式情報を読み取って、ディスクに使われたファイルシステム記録方式を判別し、その判別された記録方式によってファイルシステムを読み取るように制御する。
【００４３】
図５は、図４による装置が具現されたディスクドライブのブロック図である。図５に示すように、ディスクドライブは、ライト／リード部４２０としてピックアップ４４０を備える。
【００４４】
ディスク４１０は、ピックアップ４４０に装着されている。また、ディスクドライブは、制御部４３０としてＰＣ  Ｉ／Ｆ  ４３１、ＤＳＰ（Ｄｉｇｉｔａｌ  Ｓｉｇｎａｌ  Ｐｒｏｃｅｓｓｏｒ）４３２、ＲＦ  ＡＭＰ  ４３３、サーボ４３４及びシステム制御器４３５を備える。
【００４５】
記録時、ＰＣ  Ｉ／Ｆ  ４３１は、ホスト（図示せず）から記録するデータと共に記録命令を受ける。
【００４６】
システム制御器４３５は、記録に必要な初期化を行う。特に、本発明によって、システム制御器４３５は、装着されたディスクが空媒体であるか否かを判断して、空媒体である場合に、ファイルシステムを論理的オーバーライト方式で記録するか、すなわちファイルシステムをディスク欠陥管理方法を利用して更新するか否かを決定し、その決定によって、“代替強制フラッグ”ビットを設定するように制御し、空媒体でない場合には、媒体の所定部分に記録された“代替強制フラッグ”ビット値を読み取って認識する。そして、前記設定結果または認識結果によって、論理的オーバーライト方式または既存の方式で追記型の情報記録媒体を記録するように制御する。“代替強制フラッグ“については、後述する。
【００４７】
以上では、前記のような役割をシステム制御器の役割として主に説明したが、具現によって、ホストの制御部と役割の一部を分けて行ってもよく、ホストの制御部で前記のような役割を主に行い、システム制御器で補助的に行ってもよい。
【００４８】
ＤＳＰ  ４３２は、ＰＣ  Ｉ／Ｆ  ４３１から受けた記録するデータをエラー訂正のためにパリティなど付加データを添加してＥＣＣエンコーディングを行って、エラー訂正ブロックであるＥＣＣブロックを生成した後、それを既定の方式で変調する。ＲＦ  ＡＭＰ  ４３３は、ＤＳＰ  ４３２から出力されたデータをＲＦ信号に変える。ピックアップ４４０は、ＲＦ  ＡＭＰ  ４３３から出力されたＲＦ信号をディスク４１０に記録する。サーボ４３４は、システム制御器４３５からサーボ制御に必要な命令を入力されてピックアップ４４０をサーボ制御する。
【００４９】
再生時、ＰＣ  Ｉ／Ｆ  ４３１は、ホスト（図示せず）から再生命令を受ける。システム制御器４３５は、再生に必要な初期化を行う。特に、本発明によって、システム制御器４３５は、ディスクの所定部分に記録された“代替強制フラッグ”ビット値を読み取って、そのフラッグ設定値によってデータを読み取るように制御する。
【００５０】
ピックアップ４４０は、ディスク４１０にレーザービームを照射し、ディスク４１０から反射されたレーザービームを受光して得られた光信号を出力する。ＲＦ  ＡＭＰ  ４３３は、ピックアップ４４０から出力された光信号をＲＦ信号に変え、ＲＦ信号から得られた変調されたデータをＤＳＰ  ４３２に提供する一方、ＲＦ信号から得られた制御のためのサーボ信号をサーボ４３４に提供する。ＤＳＰ  ４３２は、変調されたデータを復調し、ＥＣＣエラー訂正を経て得られたデータを出力する。
【００５１】
一方、サーボ４３４は、ＲＦ  ＡＭＰ  ４３３から受けたサーボ信号及びシステム制御器４３５から受けたサーボ制御に必要な命令を受けて、ピックアップ４１０についてのサーボ制御を行う。ＰＣ  Ｉ／Ｆ  ４３１は、ＤＳＰ  ４３２から受けたデータをホストに送信する。
【００５２】
以下、前述した代替強制フラッグ及び本発明によるディスクの構造を詳細に説明する。
【００５３】
図６は、本発明によって、追記型の情報記録媒体に記録されるデータの構造を示す図である。
【００５４】
前記追記型の情報記録媒体に記録されるデータの構造６００は、リードイン領域６１０、データ領域６２０及びリードアウト領域６３０を備える。
【００５５】
リードイン領域６１０は、ディスク管理領域６１１，６１３及び臨時ディスク管理領域（Ｔｅｍｐｏｒａｒｙ  Ｄｉｓｃ  Ｍａｎａｇｅｍｅｎｔ  Ａｒｅａ：ＴＤＭＡ）６１２などを備える。
【００５６】
ＴＤＭＡ  ６１２は、追記型の情報記録媒体の管理のための臨時欠陥管理及び臨時ディスク管理のための情報を記録するための領域をいう。
【００５７】
かかるＴＤＭＡ  ６１２は、臨時欠陥情報（Ｔｅｍｐｏｒａｒｙ  Ｄｉｆｅｃｔ  Ｌｉｓｔ：ＴＤＦＬ）６４０、臨時欠陥管理情報（Ｔｅｍｐｏｒａｒｙ  Ｄｉｓｃ  Ｄｅｆｉｎｉｔｉｏｎ  Ｓｔｒｕｃｔｕｒｅ：ＴＤＤＳ）６５０、スペースビットマップ（ＳＢＭ）６６０及びレコードマップ６７０を備える。
【００５８】
ＴＤＦＬ  ６４０は、欠陥の状態情報、位置情報及び代替情報からなる欠陥リストを含む。
【００５９】
ＴＤＤＳ  ６５０は、前記ＴＤＦＬ、ＳＢＭ、レコードマップ、ドライブ領域の位置ポインタを有し、また、初期化時に割り当てられるスペア領域の位置及び大きさ情報、ライト防止情報、データ領域に割り当てられた臨時欠陥管理領域の位置及び大きさ情報、ユーザーデータ領域についての情報、それぞれのスペア領域で代替可能な位置情報、ユーザー領域の最後の記録アドレスなどが記録され、特に本発明によって、論理的オーバーライト方式によりデータが記録されるか否かを表す情報が記録された代替強制フィールド６５１を含む。
【００６０】
代替強制フィールド６５１は、８ビットで構成されるが、上位の７ビットは残し、最下位の１ビットが代替強制フラッグとして使われる。すなわち、前記代替強制フラッグに“１”を記録することによって、論理的オーバーライト方式で追記型の情報記録媒体が記録されたことを表示し、“０”を記録することによって、論理的オーバーライト方式でない既存の記録方式により追記型の情報記録媒体が記録されたことを表示できる。
【００６１】
かかる情報は、初期化時点にその値が決定された後に固定されることが望ましいが、これは、一つの媒体に二つのデータ記録方法を並行して使用するのは、システムを非常に複雑にし、ユーザーに多くの混乱を引き起こすためである。
【００６２】
これにより、初期化時点に追記型の情報記録媒体を論理的オーバーライト方式により使用する場合、代替強制フラッグビットを“１”に割り当てて、既に記録された領域にライト命令が伝達されたときは、既に記録された領域を欠陥と見なしてドライブによる欠陥管理でデータを記録するように、ドライブを強制することが望ましく、論理的オーバーライトなしに使用する場合、代替強制フラッグビットを“０”に割り当てて既に記録された領域にライト命令が伝達されたときは、データが既に記録されていることをホストに知らせて、次のホストの命令を待機することが望ましい。
【００６３】
ＳＢＭ  ６６０は、ユーザーデータ領域のそれぞれのクラスターに対する記録如何をビット値で表したユーザーデータ領域の記録如何を表すマップをいう。
【００６４】
レコードマップ６７０は、ＳＢＭと同様に、ユーザーデータ領域を複数の領域に分けてデータの記録状態をエントリー情報として表すが、エントリー情報は、状態情報、開始アドレス情報、終了アドレス情報からなり、そのエントリーが指定する領域の情報は、その領域の状態情報として表れたユーザーデータ領域の記録状態のマップをいう。前記状態情報は、この領域にデータが記録されたか否か、使用可能であるか否かについての情報を含んでいる。
【００６５】
図７は、本発明によって、追記型の情報記録媒体の使用方法を説明するためのフローチャートである。
【００６６】
まず、図４または図５に示した記録／再生装置に追記型の情報記録媒体４１０がローディングされれば（ステップ７１０）、システム制御器４３５は、ローディングされた追記型の情報記録媒体４１０に記録された所定情報を読み取って空媒体であるか否かを判断する（ステップ７２０）。
【００６７】
判断結果、システム制御器４３５は、追記型の情報記録媒体４１０が空媒体でないと認識された場合には、ステップ７５０に進む。
【００６８】
判断結果、システム制御器４３５は、追記型の情報記録媒体４１０が空媒体であると認識された場合には、空媒体の初期化過程で、前記追記型の情報記録媒体４１０を論理的オーバーライト方式で記録するか否かを決定する（ステップ７３０）。前記決定は、具現によって、ユーザーの選択によって決定されてもよく、またはドライブの環境によってドライブのシステム制御器やホストの制御部の判断により決定されてもよい。
【００６９】
次いで、論理的オーバーライト方式で記録するか否かが決定されれば、かかる決定によって、ＴＤＭＡのＴＤＤＳとして代替強制フィールドの最下位ビットである代替強制フラッグビットを“１”または“０”に設定する（ステップ７４０）。代替強制フラッグが設定された後、前記方法は、ステップ７５０に進む。
【００７０】
ステップ７５０では、追記型の情報記録媒体４１０上に記録された代替強制フラッグ値を読み取って認識する。既に記録された媒体である場合には、このように媒体上に記録されたフラッグ値を読み取るが、空媒体の初期化過程で記録方式が決定された場合には、直ちにその決定による方式で認識すればよい。
【００７１】
次いで、前記認識された代替強制フラッグ値が“０”であるか否かを判断する（ステップ７６０）。
【００７２】
判断結果、代替強制フラッグ値が“０”でないと設定された場合には、論理的オーバーライトのデータ記録方式で追記型の情報記録媒体４１０を使用する（ステップ７８０）。論理的オーバーライトのデータ記録方式とは、既にデータが記録された領域にデータライト命令がある場合に、それをエラーとして処理するものではなく、ディスク欠陥管理方式によりデータの更新を行うということは前述した通りである。
【００７３】
判断結果、代替強制フラッグ値が“０”である場合には、論理的オーバーライトのデータ記録方式でない既存のデータ記録方式で追記型の情報記録媒体４１０を使用する（ステップ７７０）。ここで、既存のデータ記録方式とは、例えば既にデータが記録された領域にデータ記録命令がある場合に、それをエラーとして処理することをいう。
【産業上の利用可能性】
【００７４】
本発明は、情報記録媒体、記録／再生方法及び記録／再生装置関連の技術分野に適用可能である。
【図面の簡単な説明】
【００７５】
【図１】従来技術によって、追記型の情報記録媒体におけるファイルシステム記録方法を説明するための図である。
【図２Ａ】本発明に適用される追記型の情報記録媒体におけるファイルシステムの論理的オーバーライト方法を説明するための図である。
【図２Ｂ】本発明に適用される追記型の情報記録媒体におけるファイルシステムの論理的オーバーライト方法を説明するための図である。
【図２Ｃ】本発明に適用される追記型の情報記録媒体におけるファイルシステムの論理的オーバーライト方法を説明するための図である。
【図３Ａ】前記論理的オーバーライト方法で記録される物理的セクタ番号を説明するための図である。
【図３Ｂ】前記論理的オーバーライト方法で記録される物理的セクタ番号を説明するための図である。
【図４】本発明による記録／再生装置の構成の概略的なブロック図である。
【図５】図４に示した記録／再生装置の構成の細部的なブロック図である。
【図６】本発明によって代替強制フラッグを含むデータの構造を示す図である。
【図７】本発明による記録／再生方法の過程を説明するためのフローチャートである。
【図１】
2007511033.tif 000003
【図２Ａ】
2007511033.tif 000004
【図２Ｂ】
2007511033.tif 000005
【図２Ｃ】
2007511033.tif 000006
【図３Ａ】
2007511033.tif 000007
【図３Ｂ】
2007511033.tif 000008
【図４】
2007511033.tif 000009
【図５】
2007511033.tif 000010
【図６】
2007511033.tif 000011
【図７】
2007511033.tif 000012
【国際調査報告】
2007511033.tif 000013